(57)【要約】【課題】  記録紙搬送に用いる搬送機構が、原稿搬送機構を兼ね、しかも、原稿検知センサと記録紙検知センサとが共通である画像形成装置において、センサが紙を検知した場合、原稿であるか記録紙であるかを判別することによって、ファクシミリの受信画像等を、原稿に記録することがなく、適切に記録することができる画像形成装置を提供することを目的とするものである。【解決手段】  記録紙に画像を記録する記録手段と、原稿を読み取るラインセンサと、シェーディング補正用の白基準板とを具備し、記録紙通過経路と原稿通過経路とが、一部経路を共有する画像形成装置において、上記ラインセンサが読み取る画像データによって原稿であるか記録紙であるかを判別する手段を有する画像形成装置である。【選択図】  図１
2005354495.tif 000002
【特許請求の範囲】
【請求項１】
記録紙に画像を記録する記録手段と、原稿を読み取るラインセンサと、シェーディング補正用の白基準板とを具備し、記録紙通過経路と原稿通過経路とが一部経路を共有する画像形成装置において、
上記ラインセンサが読み取る画像データに基づいて、原稿であるか記録紙であるかを判別する判別手段を有することを特徴とする画像形成装置。
【請求項２】
請求項１において、
上記判別手段は、用紙における所定ライン数を読み取ったときに、黒画素が含まれていれば、その用紙は、原稿であると判断し、一方、用紙における所定ライン数を読み取ったときに、全てが白画素であれば、その用紙は記録紙であると判断することによって、原稿、記録紙を判別する手段であることを特徴とする画像形成装置。
【請求項３】
記録紙に画像を記録する記録部と、原稿を読み取るラインセンサと、シェーディング補正用の白基準板とを具備し、記録紙通過経路と原稿通過経路とが一部経路を共有する画像形成装置の制御方法において、
上記ラインセンサが読み取る画像データに基づいて、画像形成装置にセットされている紙が原稿であるか記録紙であるかを判別する判別工程を有することを特徴とする画像形成装置の制御方法。
【請求項４】
請求項３において、
上記判別工程は、用紙における所定ライン数を読み取ったときに、黒画素が含まれていれば、その用紙は、原稿であると判断し、一方、用紙における所定ライン数を読み取ったときに、全てが白画素であれば、その用紙は記録紙であると判断することによって、原稿、記録紙を判別する手段であることを特徴とする画像形成装置の制御方法。
【発明の詳細な説明】
【技術分野】
【０００１】
本発明は、デジタル式画像形成読取装置、特に、記録紙通過経路と原稿通過経路とが一部経路を共有するファクシミリ装置等の画像形成装置に関する。
【背景技術】
【０００２】
図５は、従来のインクジェットファクシミリ装置ＦＳ１１の概略を示す図である。
【０００３】
従来のファクシミリ装置ＦＳ１１は、画像読取部と画像形成部との２つの大きな部分から成り立っている。
【０００４】
上記画像読取部は、コンタクトイメージセンサ（ＣＩＳ）等、光電変換デバイスによる読取デバイス２１と、白基準板２２と、原稿を搬送する原稿ローラ２３と、原稿を検知する原稿検知センサ２４と、原稿台２５と、原稿搬送ローラ２３を駆動する原稿搬送モータ等を有する。
【０００５】
一方、上記画像形成部は、インクカートリッジ１１と、記録紙搬送ローラ１２と、記録紙センサ１５と、原稿台１６と、カートリッジ駆動部（図示せず）等を有する。
【０００６】
他の部分には、表示部等が設けられている。
【０００７】
ファクシミリ装置のプリンタとしてインクジェットプリンタを使用しているインクジェットファクシミリ装置が、従来、知られている（たとえば、特許文献１参照）。
【特許文献１】特開２０００−５９５５１号公報
【発明の開示】
【発明が解決しようとする課題】
【０００８】
しかし、上述従来例では、原稿系の搬送手段と、記録系の搬送手段とを別個に設ける必要があり、ファクシミリ装置の大型化とコストアップとの要因になるという欠点がある。
【０００９】
この欠点を解消するためには、記録紙搬送に用いる搬送機構を、原稿搬送機構としても兼ねることが考えられる。すなわち、原稿搬送用に用いている給送ローラ、排紙ローラ、原稿駆動用モータ等を削除し、原稿センサと記録紙センサとを共通にする構成が考えられる。このようにすれば、小型化のみならず製造コストダウンを実現することができる。
【００１０】
ところが、上記のように、記録紙搬送に用いる搬送機構が、原稿搬送機構を兼ねる画像ファクシミリ装置では、原稿検知センサと記録紙検知センサとが共通であるので、センサが紙を検知した場合、原稿であるか記録紙であるかを判別することができず、原稿に、ファクシミリの受信画像等を記録する場合があるという問題がある。
【００１１】
上記問題は、ファクシミリ装置以外の画像形成装置においても発生する問題である。
【００１２】
本発明は、記録紙搬送に用いる搬送機構が、原稿搬送機構を兼ね、しかも、原稿検知センサと記録紙検知センサとが共通である画像形成装置において、センサが紙を検知した場合、原稿であるか記録紙であるかを判別することによって、ファクシミリの受信画像等を、原稿に記録することがなく、適切に記録することができる画像形成装置を提供することを目的とするものである。
【課題を解決するための手段】
【００１３】
本発明は、記録紙に画像を記録する記録手段と、原稿を読み取るラインセンサと、シェーディング補正用の白基準板とを具備し、記録紙通過経路と原稿通過経路とが、一部経路を共有する画像形成装置において、上記ラインセンサが読み取る画像データによって原稿であるか記録紙であるかを判別する手段を有する画像形成装置である。
【発明の効果】
【００１４】
本発明によれば、記録紙搬送に用いる搬送機構が、原稿搬送機構を兼ね、しかも、原稿検知センサと記録紙検知センサとが共通である画像形成装置において、センサが紙を検知した場合、原稿であるか記録紙であるかを判別することができるので、ファクシミリの受信画像等を、原稿に記録することがなく、適切に記録することができるという効果を奏する。
【発明を実施するための最良の形態】
【００１５】
発明を実施するための最良の形態は、次の実施例である。
【実施例１】
【００１６】
図１に、本発明の実施例１であるファクシミリ装置ＦＳ１を示す断面図である。
【００１７】
ファクシミリ装置ＦＳ１は、画像形成装置の一例であり、記録媒体としての記録紙に画像を記録する記録機能と、被読取媒体としての原稿の画像を読取る読取機能とを有し、記録紙と原稿との略近傍の搬送路内に、上記記録機能を有する記録部と、上記スキャナ機能を有する読取部とが配置されている。
【００１８】
つまり、ファクシミリ装置ＦＳ１は、インクジェットカートリッジ１と、読取ユニット２と、白基準板３と、用紙台５と、用紙検知手段６と、用紙搬送ローラ７とを有する。
【００１９】
インクジェットカートリッジ１は、記録紙に画像を記録する。読取ユニット２は、原稿を１ラインずつ読み取るコンタクトイメージセンサ（ＣＩＳ）と、センサケース等によって構成されている。白基準板３は、シェーディングデータを取得するためのものであり、読取ユニット２が白基準板３を読み取り、シェーディング補正用の白データを取得する。
【００２０】
用紙台５は、原稿と記録紙とを積載する。用紙検知手段６は、用紙台５に置かれている原稿、記録紙の有無を検知する。用紙搬送ローラ７は、モータによって回転し、用紙を搬送する。
【００２１】
図２は、ファクシミリ装置ＦＳ１の構成を示すブロック図である。
【００２２】
ファクシミリ装置ＦＳ１は、制御部１０１と、ＲＯＭ１０２と、ＲＡＭ１０３と、操作表示部１０４と、ＣＩＳ（コンタクトイメージセンサ）１０５と、読取画像処理部１０６と、印字部１０７と、記録画像処理部１０８と、搬送部１０９と、センサ部１１０とを有する。
【００２３】
制御部１０１は、ファクシミリ装置ＦＳ１の全体を制御し、システムバスを介して、ファクシミリ装置ＦＳ１の全体を制御する。
【００２４】
ＲＯＭ１０２は、動作用インストラクション群等のプログラムコード、オペレーティングシステム（ＯＳ）プログラムコード、初期値データ、テーブルデータ等を格納しているメモリである。
【００２５】
ＲＡＭ１０３は、画像バッファ、画像メモリ等に使用されるメモリであり、ファクシミリ送受信する際の画像データを一時的に保持するバッファとして使用される。また、受信された画像データをファイルとして蓄積するメモリとしても使用される。ＲＡＭ１０３は、バッテリバックアップによって停電等の不慮の障害等から保護されている。
【００２６】
操作表示部１０４は、ダイヤルするときやデータを登録、設定するとき等に用いるテンキー、各種機能を利用するファンクションキー、電話番号等を登録し、ワンタッチでダイヤルするため等に用いるワンタッチキー、送信や受信、コピー等を始めるときに用いるスタートキー、送信、登録や設定等の動作を中止したいときに用いるストップキー等の各種キースイッチ、通信状況の確認やデータの登録、設定、確認メッセージ等各種メッセージの表示を行うＬＣＤ、通信中に点灯するランプ、各種エラー時に点灯するランプ等の各種ＬＥＤ等によって構成され、装置の状態、発呼する相手の電話番号、時刻情報、操作手順等を表示する。
【００２７】
画像読取用のコンタクトイメージセンサ（ＣＩＳ）１０５は、所定の解像度で光学的に読み取った画像を、電気的な画像信号に変換し、また、白基準板３を読み取り、シェーディングデータを取得する。
【００２８】
読取画像処理部１０６は、ＣＩＳ１０５が読み取った信号にシェーディング補正等を施し、さらに２値化処理、中間調処理等の画像処理を施し、高精細な画像データを出力する。また、ＣＩＳ１０５で読み取った白基準板３のデータから、シェーディングデータを取得する。
【００２９】
印字部１０７は、インクジェットカートリッジ１と、カートリッジとを駆動させるモータと、駆動制御を行う駆動制御部とによって構成されている。
【００３０】
記録画像処理部１０８は、走査解像度８ｐｅｌ／ｍｍの生画像データを、プリンタの主走査解像度３６０ｄｐｉ（ｄｏｔｓ  ｐｅｒ  ｉｎｃｈ）の生画像データに変換するための解像度変換、スムージング、濃度補正等の各種画像処理を施し、高精細な画像データに変換し、インクジェットカートリッジ１に出力する。
【００３１】
搬送部１０９は、ワンパス搬送経路において、原稿と記録紙とを搬送する紙搬送モータと、紙搬送モータを制御する紙搬送制御部とを具備する。
【００３２】
センサ部１１０は、原稿と記録紙との状態を検知する用紙検知手段６の動きによって、用紙を検知する。
【００３３】
ＣＩＳ１０５と制御部１０１とは、ラインセンサが読み取る画像データに基づいて、原稿であるか記録紙であるかを判別する判別手段の例である。
【００３４】
図３は、ファクシミリ装置ＦＳ１において、画像読み取り時に、原稿と記録紙とを判別する動作を示すフローチャートである。
【００３５】
Ｓ１０１では、用紙台５に置かれた紙を検知すると、Ｓ１０２では、読み取り開始ボタンがユーザによって押されたかどうかを判断する。読み取り開始ボタンが押されると、Ｓ１０３では、用紙台にセットされた紙が原稿であると判断し、原稿フラグをＯＮにする。
【００３６】
次に、Ｓ１０４では、読み取り開始位置まで、搬送部１０９が原稿を搬送し、Ｓ１０４では、原稿を搬送しながら、ＣＩＳ１０５が１ラインずつ読み取る。Ｓ１０５で、読み取りが完了すると、原稿フラグをＯＦＦにし、次の処理（送信処理等）に進む。
【００３７】
一方、Ｓ１０２で、読み取り開始ボタンがユーザによって押されない場合、Ｓ１０６では、一定時間の間、ユーザに読み取り開始ボタンが押されるかタイマ動作を行う。Ｓ１０６で、一定時間をカウントし、上記一定時間の経過後に、Ｓ１０７では、原稿を読み取り開始位置まで搬送し、１ラインずつ読み取る。
【００３８】
Ｓ１０８で１ラインを読み取った画像が、全て“白画素”であると判断された場合、Ｓ１０９では、予め決められたライン数分だけ用紙を読み取り、かつ全てが白画素だった場合、Ｓ１１０では、記録紙フラグをＯＮにし、用紙は記録紙であると判断する。Ｓ１１１では、搬送部１０９のモータを逆転し、用紙を記録開始位置まで搬送し、待機する。
【００３９】
一方、Ｓ１０８で黒画素があると検出されると、Ｓ１１２では、用紙は原稿であると判別し、原稿フラグをＯＮにする。Ｓ１１３では、搬送部１０９のモータを逆転し、用紙を読取開始位置まで搬送し、待機する。Ｓ１１４では、表示部１０４が“原稿あり”と表示し、待機する。
【００４０】
次に、ファクシミリ装置ＦＳ１において、ファクシミリ画像を受信した場合の処理について説明する。
【００４１】
図４は、ファクシミリ装置ＦＳ１において、ファクシミリ画像を受信した場合の動作を示すフローチャートである。
【００４２】
Ｓ２０１で、ファクシミリ受信すると、Ｓ２０２で、受信画像を画像メモリに格納する。Ｓ２０３では、記録フラグがＯＮであれば、原稿台５に記録紙があるので、記録画像を印字し、Ｓ２０４に移る。Ｓ２０３で、記録紙フラグがＯＦＦであれば、記録紙が原稿台に無いので、待機する。Ｓ２０４では、画像を１ページ印刷し、Ｓ２０５では、記録紙フラグをＯＦＦにする。
【００４３】
Ｓ２０６では、原稿台５に用紙があるかどうかをチェックし、用紙が無い場合、待機する。用紙がある場合、Ｓ２０７では、図３に示す原稿検知動作を行う。Ｓ２０８では、記録紙フラグがＯＦＦであれば、用紙台５にあるのは記録紙ではないので待機する。Ｓ２０８では、記録紙フラグがＯＮであれば、用紙台５には記録紙が存在し、Ｓ２０９でメモリに受信画像があれば、Ｓ２０４に戻り、メモリの受信画像を印字する。
【００４４】
上記実施例によれば、記録紙搬送に用いる搬送機構が、原稿搬送機構を兼ね、しかも、原稿検知センサと記録紙検知センサとが共通である画像形成装置において、センサが紙を検知した場合、原稿であるか記録紙であるかを判別することができ、適切に記録することができる。
【００４５】
なお、上記実施例を、パソコン等、ファクシミリ装置以外の画像形成装置に適用するようにしてもよい.
【図面の簡単な説明】
【００４６】
【図１】本発明の実施例１であるファクシミリ装置ＦＳ１を示す断面図である。
【図２】ファクシミリ装置ＦＳ１の構成を示すブロック図である。
【図３】ファクシミリ装置ＦＳ１において、画像読み取り時に、原稿と記録紙とを判別する動作を示すフローチャートである。
【図４】ファクシミリ装置ＦＳ１において、ファクシミリ画像を受信した場合の動作を示すフローチャートである。
【図５】従来のインクジェットファクシミリ装置ＦＳ１１の概略を示す図である。
【符号の説明】
【００４７】
ＦＳ１…ファクシミリ装置、
１…インクジェットカートリッジ、
２…読取ユニット、
３…白基準板、
５…用紙台、
６…用紙検知手段、
７…用紙搬送ローラ、
１０１…制御部、
１０２…ＲＯＭ、
１０３…ＲＡＭ、
１０４…操作表示部、
１０５…ＣＩＳ、
１０６…読取画像処理部、
１０７…印字部、
１０８…記録画像処理部、
１０９…搬送部、
１１０…センサ部。
【図１】
2005354495.tif 000003
【図２】
2005354495.tif 000004
【図３】
2005354495.tif 000005
【図４】
2005354495.tif 000006
【図５】
2005354495.tif 000007